(57)【要約】【課題】駆動部によって製氷皿に捻り動作を行わせる構成において、駆動部から延在する配線を内側から外側に引き出す貫通部をフレームの側板部に設けた場合でも、側板部が破損することを抑制することができる製氷装置を提供すること。【解決手段】製氷装置１は、製氷皿２、および製氷皿２に反転動作および捻り動作を行わせる駆動部３がフレーム４に支持されている。フレーム４において、第１側板部４１には、駆動部３より第１方向Ｘの他方側Ｘ２でフレーム４を冷蔵庫本体に取り付けるための複数の取り付け部４１４と、第１方向Ｘの最も一方側Ｘ１の取り付け部４１４より第１方向Ｘの他方側Ｘ２で第１側板部４１を貫通する貫通部４７とが設けられ、配線５は、駆動部３から第１側板部４１の内壁４１１に沿って延在する第１引き回し部分５１と、貫通部４７を通って外側に引き出された第２引き回し部分５２とを備えている。【選択図】図４
2019045039.tif 000002
【特許請求の範囲】
【請求項１】
貯水用凹部が上向きに配置された製氷皿と、
前記製氷皿に対して上下方向と交差する第１方向の一方側に配置され、前記製氷皿に前記第１方向に延在する軸線周りの反転動作および捻り動作を行わせる駆動部と、
前記製氷皿の前記上下方向および前記第１方向に交差する第２方向の一方側の側面に沿って前記第１方向に延在する側板部を備え、前記製氷皿および前記駆動部を支持するフレームと、
前記駆動部から延在する配線と、
を有し、
前記側板部には、前記駆動部より前記第１方向の他方側で前記フレームを冷蔵庫本体に取り付けるための複数の取り付け部と、前記複数の取り付け部のうち、前記第１方向の最も一方側に設けられた取り付け部より前記第１方向の他方側で前記側板部を前記第２方向で貫通する貫通部と、が設けられ、
前記配線は、前記駆動部から前記側板部の前記製氷皿が位置する内壁に沿って延在する第１引き回し部分と、前記貫通部を通って前記側板部に対して前記製氷皿とは反対側に引き出された第２引き回し部分と、を備えていることを特徴とする製氷装置。
【請求項２】
前記第２引き回し部分は、前記側板部の前記製氷皿とは反対側に位置する外壁に沿って延在する第３引き回し部分を備え、
前記側板部には、前記第３引き回し部分を支持する配線支持部が設けられていることを特徴とする請求項１に記載の製氷装置。
【請求項３】
前記配線支持部は、前記第３引き回し部分を前記外壁に弾性をもって押し付けていることを特徴とする請求項２に記載の製氷装置。
【請求項４】
前記貫通部は、前記側板部の下端または上端に設けられた切り欠きであることを特徴とする請求項１から３までの何れか一項に記載の製氷装置。
【請求項５】
前記切り欠きは、前記側板部の下端に設けられていることを特徴とする請求項４に記載の製氷装置。
【請求項６】
前記複数の取り付け部は、少なくとも前記側板部の下端に形成された下端側取り付け部を含み、
前記貫通部に対して前記第１方向の一方側に前記下端側取り付け部が設けられていることを特徴とする請求項５に記載の製氷装置。
【請求項７】
前記複数の取り付け部は、少なくとも前記側板部の下端に形成された複数の下端側取り付け部を含み、
前記貫通部は、前記複数の下端側取り付け部のうち、前記第１方向で隣り合う下端側取り付け部の間に設けられていることを特徴とする請求項５に記載の製氷装置。
【請求項８】
前記複数の取り付け部は、前記側板部の下端に形成された下端側取り付け部と、前記側板部の上端に形成された上端側取り付け部と、を含み、
前記貫通部は、前記第１方向において前記下端側取り付け部と前記上端側取り付け部との間に設けられていることを特徴とする請求項５に記載の製氷装置。
【請求項９】
前記内壁には、上下方向に延在する複数の内壁側補強用リブが前記第１方向に沿って形成され、
前記複数の内壁側補強用リブのうち、前記切り欠きより前記第１方向の一方側に形成さ
れた第１内壁側補強用リブは、前記側板部の上端側から下端に向かう途中まで延在し、前記切り欠きより前記第１方向の他方側に形成された第２内壁側補強用リブは、前記側板部の上端側から下端まで到達し、
前記第１引き回し部分は、前記第１内壁側補強用リブと前記側板部の下端との間で前記内壁に沿って延在していることを特徴とする請求項５から８までの何れか一項に記載の製氷装置。
【請求項１０】
前記側板部の前記製氷皿とは反対側に位置する外壁には、上下方向に延在する複数の外壁側補強用リブが前記第１方向に沿って形成され、
前記複数の外壁側補強用リブのうち、前記切り欠きより前記第１方向の一方側に形成された第１外壁側補強用リブは、前記側板部の上端側から下端まで到達し、前記切り欠きより前記第１方向の他方側に形成された第２外壁側補強用リブは、前記側板部の上端側から下端に向かう途中まで延在していることを特徴とする請求項５から９までの何れか一項に記載の製氷装置。
【発明の詳細な説明】
【技術分野】
【０００１】
本発明は、駆動部が製氷皿に反転動作および捻り動作を行わせる製氷装置に関するものである。
【背景技術】
【０００２】
冷蔵庫に搭載される製氷装置は、給水タンクの水を給水パイプを通じて製氷皿の貯水用凹部に充填し、製氷が完了すると、駆動部によって、第１方向に延在する軸線周りに製氷皿を反転させて捻ることにより貯氷容器内へ氷を落下させる。ここで、駆動部は、製氷皿に対して第１方向の一方側に配置されており、製氷皿ととともに共通のフレームに支持されている。フレームは、製氷皿の第１方向と交差する第２方向（幅方向）の両側に第１側板部および第２側板部を有している。フレームの第２側板部と製氷皿との間には検氷レバーが配置されており、製氷装置を冷蔵庫に搭載する際、第１側板部が冷蔵庫本体に固定される。駆動部は、モータを駆動源としており、駆動部からフレームの外側まで引き回された配線を介して給電される。
【先行技術文献】
【特許文献】
【０００３】
【特許文献１】特開２０１１−８９７５８号公報
【特許文献２】特開２０１５−１３２４４８号公報
【発明の概要】
【発明が解決しようとする課題】
【０００４】
特許文献１、２に記載の製氷装置において、配線がフレームに支持されずに、駆動部から直接、フレームの外側に引き出されていると、配線の取り扱いに多大な手間がかかる。そこで、第１側板部に貫通部を設け、配線を途中部分までフレームの第１側板部の内面に沿って引き回し、貫通部を通って配線をフレームの外側に引き出すことが考えられる。その場合、配線の途中部分が第１側板部の貫通部で支持されるので、フレームの外側に位置する配線が短くなるので、配線の取り扱い等が容易になる。しかしながら、駆動部が製氷皿に捻り動作を行わせるタイプの製氷装置では、駆動部が製氷皿に捻り動作を行わせる際にフレームに大きな力が加わるため、第１側板部に貫通部を形成すると、第１側板部では貫通部付近に応力が集中し、第１側板部が破損するおそれがある。
【０００５】
以上の問題点に鑑みて、本発明の課題は、駆動部によって製氷皿に捻り動作を行わせる構成において、駆動部から延在する配線を内側から外側に引き出す貫通部をフレームの側板部に設けた場合でも、側板部が破損することを抑制することができる製氷装置を提供することにある。
【課題を解決するための手段】
【０００６】
上記課題を解決するため、本発明に係る製氷装置は、貯水用凹部が上向きに配置された製氷皿と、前記製氷皿に対して上下方向と交差する第１方向の一方側に配置され、前記製氷皿に前記第１方向に延在する軸線周りの反転動作および捻り動作を行わせる駆動部と、前記製氷皿の前記上下方向および前記第１方向に交差する第２方向の一方側の側面に沿って前記第１方向に延在する側板部を備え、前記製氷皿および前記駆動部を支持するフレームと、前記駆動部から延在する配線と、を有し、前記側板部には、前記駆動部より前記第１方向の他方側で前記フレームを冷蔵庫本体に取り付けるための複数の取り付け部と、前記複数の取り付け部のうち、前記第１方向で最も一方側に設けられた取り付け部より前記第１方向の他方側で前記側板部を前記第２方向で貫通する貫通部と、が設けられ、前記配
線は、前記駆動部から前記側板部の前記製氷皿が位置する内壁に沿って延在する第１引き回し部分と、前記貫通部を通って前記側板部に対して前記製氷皿とは反対側に引き出された第２引き回し部分と、を備えていることを特徴とする。
【０００７】
本発明では、側板部に貫通部が設けられており、配線を途中部分までフレームの側板部の内面に沿って引き回し、貫通部を通って配線をフレームの外側に引き出す。このため、配線の途中部分が側板部の貫通部で支持されるので、フレームの外側に位置する配線が短くなる。従って、配線の取り扱い等が容易になる。また、駆動部が製氷皿に捻り動作を行わせるタイプの製氷装置では、駆動部が製氷皿に捻り動作を行わせる際にフレームに大きな力が加わるが、側板部において、駆動部より第１方向の他方側に設けられた複数の取り付け部のうち、第１方向の最も一方側に設けられた取り付け部より第１方向の他方側に貫通部が設けられている。このため、駆動部が製氷皿に捻り動作を行わせる際にフレームに加わる力が側板部の貫通部の側に伝わることを第１方向の一方側で冷蔵庫本体に固定された取り付け部によって抑制することができる。従って、側板部では貫通部付近に応力が集中することを抑制することができるので、側板部が破損することを抑制することができる。
【０００８】
本発明において、前記第２引き回し部分は、前記側板部の前記製氷皿とは反対側に位置する外壁に沿って延在する第３引き回し部分を備え、前記側板部には、前記第３引き回し部分を支持する配線支持部が設けられている態様を採用することができる。かかる態様によれば、フレームの外側で自由になっている配線部分が短くなるので、配線の取り扱い等がより容易である。この場合、前記配線支持部は、前記第３引き回し部分を前記外壁に弾性をもって押し付けている態様を採用することができる。かかる態様によれば、第３引き回し部分を外壁と配線支持部との間に通すことによって、第３引き回し部分が側板部で支持された状態となるので、第３引き回し部分の支持が容易である。
【０００９】
本発明において、前記貫通部は、前記側板部の下端または上端に設けられた切り欠きである態様を採用することができる。本発明において、前記切り欠きは、前記側板部の下端に設けられている態様を採用することができる。
【００１０】
本発明において、前記複数の取り付け部は、少なくとも前記側板部の下端に形成された下端側取り付け部を含み、前記貫通部に対して前記第１方向の一方側に前記下端側取り付け部が設けられている態様を採用することができる。
【００１１】
本発明において、前記複数の取り付け部は、少なくとも前記側板部の下端に形成された複数の下端側取り付け部を含み、前記貫通部は、前記複数の下端側取り付け部のうち、前記第１方向で隣り合う下端側取り付け部の間に設けられている態様を採用することができる。
【００１２】
本発明において、前記複数の取り付け部は、前記側板部の下端に形成された下端側取り付け部と、前記側板部の上端に形成された上端側取り付け部と、を含み、前記貫通部は、前記第１方向において隣り合う前記下端側取り付け部と前記上端側取り付け部との間に設けられている態様を採用してもよい。
【００１３】
本発明において、前記内壁には、上下方向に延在する複数の内壁側補強用リブが前記第１方向に沿って形成され、前記複数の内壁側補強用リブのうち、前記切り欠きより前記第１方向の一方側に形成された第１内壁側補強用リブは、前記側板部の上端側から下端に向かう途中まで延在し、前記切り欠きより前記第１方向の他方側に形成された第２内壁側補強用リブは、前記側板部の上端側から下端まで到達し、前記第１引き回し部分は、前記第１内壁側補強用リブと前記側板部の下端との間で前記内壁に沿って延在している態様を採
用することができる。かかる態様によれば、第１引き回し部分を配置するスペースを確保しつつ、内壁側補強用リブによって側板部の強度を高めることができる。
【００１４】
本発明において、前記側板部の前記製氷皿とは反対側に位置する外壁に前記外壁には、上下方向に延在する複数の外壁側補強用リブが前記第１方向に沿って形成され、前記複数の外壁側補強用リブのうち、前記切り欠きより前記第１方向の一方側に形成された第１外壁側補強用リブは、前記側板部の上端側から下端まで到達し、前記切り欠きより前記第１方向の他方側に形成された第２外壁側補強用リブは、前記側板部の上端側から下端に向かう途中まで延在している態様を採用することができる。かかる態様によれば、第２引き回し部分の一部を外壁に沿って第１方向の他方側に延在させるスペースを確保しつつ、外壁側補強用リブによって側板部の強度を高めることができる。
【発明の効果】
【００１５】
本発明では、側板部に貫通部が設けられており、配線を途中部分までフレームの側板部の内面に沿って引き回し、貫通部を通って配線をフレームの外側に引き出す。このため、配線の途中部分が側板部の貫通部で支持されるので、フレームの外側に位置する配線が短くなる。従って、配線の取り扱い等が容易になる。また、駆動部が製氷皿に捻り動作を行わせるタイプの製氷装置では、駆動部が製氷皿に捻り動作を行わせる際にフレームに大きな力が加わるが、側板部において、駆動部より第１方向の他方側に設けられた複数の取り付け部のうち、第１方向の最も一方側に設けられた取り付け部より第１方向の他方側に貫通部が設けられている。このため、駆動部が製氷皿に捻り動作を行わせる際にフレームに加わる力が側板部の貫通部の側に伝わることを第１方向の一方側で冷蔵庫本体に固定された取り付け部によって抑制することができる。従って、側板部では貫通部付近に応力が集中することを抑制することができるので、側板部が破損することを抑制することができる。
【図面の簡単な説明】
【００１６】
【図１】本発明を適用した製氷装置を第２側板部が位置する側、かつ斜め上方からみた斜視図である。
【図２】図１に示す製氷装置を第２側板部が位置する側、かつ斜め上方からみた分解斜視図である。
【図３】図１に示す製氷装置を第２側板部が位置する側、かつ斜め下方からみた分解斜視図である。
【図４】図１に示す製氷装置を第１側板部が位置する側、かつ斜め上方からみた斜視図である。
【図５】図１に示す製氷装置を第１側板部が位置する側、かつ斜め上方からみた分解斜視図である。
【図６】図１に示す製氷装置を駆動部とは反対側からみた側面部である。
【図７】本発明の別の実施形態に係る製氷装置の斜視図である。
【発明を実施するための形態】
【００１７】
図面を参照して、本発明の実施形態について説明する。以下の説明では、互いに交差する３方向を第１方向Ｘ（長さ方向）、第２方向Ｙ（幅方向）、および第３方向Ｚ（上下方向）として説明する。また、第１方向Ｘの一方側にＸ１を付し、第１方向Ｘの他方側にＸ２を付し、第２方向Ｙの一方側にＹ１を付し、第２方向Ｙの他方側にＹ２を付し、第３方向Ｚ（上下方向）の一方側（上側）Ｚ１を付し、第３方向Ｚ（上下方向）の他方側（下側）Ｚ２を付して説明する。
【００１８】
（全体構成）
図１は、本発明を適用した製氷装置１を第２側板部４２が位置する側、かつ斜め上方か
らみた斜視図である。図２は、図１に示す製氷装置１を第２側板部４２が位置する側、かつ斜め上方からみた分解斜視図である。図３は、図１に示す製氷装置１を第２側板部４２が位置する側、かつ斜め下方からみた分解斜視図である。図４は、図１に示す製氷装置１を第１側板部４１が位置する側、かつ斜め上方からみた斜視図である。図５は、図１に示す製氷装置１を第１側板部４１が位置する側、かつ斜め上方からみた分解斜視図である。図６は、図１に示す製氷装置１を駆動部３とは反対側からみた側面部である。
【００１９】
図１〜図６に示す製氷装置１は、貯水用凹部２０（セル）が第３方向Ｚの一方側Ｚ１（上側）に向けて配置された製氷皿２と、製氷皿２に対して第１方向Ｘの一方側Ｘ１に配置された駆動部３と、製氷皿２および駆動部３を支持するフレーム４とを有している。製氷装置１は、冷蔵庫本体（図示せず）に搭載され、冷蔵庫では、給水タンク（図示せず）の水を給水パイプ（図示せず）を通じて製氷皿２の貯水用凹部２０に充填し、製氷を行う。そして、製氷が完了すると、駆動部３は、製氷皿２に第１方向Ｘに延在する軸線Ｌ０周りの反転動作および捻り動作を行わせることにより、製氷皿２の氷を貯氷容器（図示せず）へ落下させる。
【００２０】
（製氷皿２の構成）
図１、図２および図３に示すように、製氷皿２は、樹脂材料で平面形状が略四角形になるように成形された部材であって、弾性変形可能な材料からなる。製氷皿２において、貯水用凹部２０は、略四角形の枠部２５の内側に、第２方向Ｙに並ぶ２つの貯水用凹部２０が組になって第１方向Ｘに４列配置されている。製氷皿２の枠部２５において、第１方向Ｘの一方側Ｘ１に位置する壁部２６には、駆動部３の出力軸３２と連結された連結部（図示せず）が形成されており、第１方向Ｘの他方側Ｘ２に位置する壁部２７には、フレーム４に回転可能に支持される軸部２８が形成されている。製氷皿２の壁部２７には、製氷皿２が軸線Ｌ０周りに回転した際にフレーム４と当接する回転規制部２９が形成されており、回転規制部２９は、製氷皿２の回転を阻止することにより、製氷皿２に捻り動作を行わせる。
【００２１】
製氷皿２において、第３方向Ｚの下面２ａには、貯水用凹部２０の形状が反映された凸部２１が配列されている。製氷皿２の下面２ａには、製氷皿２の温度を検知するサーミスタ８が配置され、サーミスタ８は、製氷皿２の下面２ａに固定されたカバー９で覆われている。サーミスタ８から駆動部３の内部に向けては信号配線８８、８９が延在している。
【００２２】
（駆動部３の構成）
図２および図５に示すように、駆動部３は、直方体状に成形されたケース３１の内側に、駆動源となるモータ（図示せず）と、モータの回転力を伝達する回転伝達機構（図示せず）と、回転伝達機構によりモータの回転力が伝達されるカム歯車３３とを備えており、駆動部３からは、モータに対する給電用の配線５がフレーム４の外側に引き出されている。カム歯車３３には、製氷皿２の連結部が連結される出力軸３２が一体成形されている。出力軸３２は、ケース３１の端板３１１に設けられた穴３１６からケース３１の外方に突出している。図５に示すように、出力軸３２は、製氷皿２の氷を離氷させる場合には、軸線Ｌ０を中心に時計回りＣＣＷの方向に回転し、製氷皿２を元の位置に戻す場合には、反時計回りＣＷの方向に回転する。
【００２３】
製氷皿２に対して第２方向Ｙの他方側Ｙ２で隣り合う位置には、検氷レバー６が配置されており、駆動部３のケース３１内には、カム歯車３３の回転角度に応じてカム歯車３３と連動して検氷レバー６を軸線Ｌ１周りに回転させる動作させる検氷機構や、サーミスタ８から信号配線８８、８９を介して入力された信号に基づいて動作するスイッチ機構等が構成されている。
【００２４】
（フレーム４の構成）
図３、図４および図５に示すように、フレーム４は、製氷皿２の第２方向Ｙの一方側Ｙ１の第１側面２ｂに沿って第１方向Ｘに延在する第１側板部４１と、製氷皿２の第２方向Ｙの他方側Ｙ２の第２側面２ｃに沿って第１方向Ｘに延在する第２側板部４２とを備えており、第１側板部４１と第２側板部４２とは第２方向Ｙで平行に対向している。第２側板部４２と製氷皿２との間には、検氷レバー６が配置されている。
【００２５】
第１側板部４１の上端４１ｅ（第３方向Ｚの一方側Ｚ１の縁）からは第２側板部４２に向けて第１上板部４１０が張り出しており、第１上板部４１０は、第２方向Ｙの他方側Ｙ２に向かう途中位置で下方に折れ曲がった後、第２側板部４２に向けて張り出している。第２側板部４２の上端４２ｅ（第３方向Ｚの一方側Ｚ１の縁）の付近からは第１側板部４１に向けて第２上板部４２０が張り出しており、製氷皿２は、第１上板部４１０と第２上板部４２０との間で上方（第３方向Ｚの一方側Ｚ１）に向けて開放状態にある。第２上板部４２０には、検氷レバー６の上端部が内側に位置する開口部４２０ａが形成されている。
【００２６】
第１側板部４１および第２側板部４２の第１方向Ｘの一方側Ｘ１の端部は、第２方向Ｙからみたときに駆動部３と重なっている。第１側板部４１と第２側板部４２とは、第１方向Ｘの一方側Ｘ１の端部に位置する板状の第１壁部４３と、第１方向Ｘの他方側Ｘ２の端部に位置する第２壁部４４とによって連結されている。第１側板部４１と第２側板部４２とは、第２方向Ｙの一方側Ｙ１において駆動部３を上側から覆う上板部４５によっても連結されている。第２壁部４４は、板状の複数のリブが互いに連結された多孔性の壁になっており、その中央に製氷皿２の軸部２８を回転可能に支持する軸穴４４０が形成されている。
【００２７】
（第１側板部４１等の詳細構成）
図３に示すように、第１側板部４１において製氷皿２が位置する側の壁（内壁４１１）には、上下方向に延在する複数の内壁側補強用リブ４１１ａ、４１１ｂ、４１１ｃが第１方向Ｘに沿って形成されている。複数の内壁側補強用リブ４１１ａ、４１１ｂ、４１１ｃのうち、後述する切り欠き４７ａより第１方向Ｘの一方側Ｘ１に位置する内壁側補強用リブ４１１ａ（第１内壁側補強用リブ）は、内壁４１１において第１上板部４１０と繋がる上端４１ｅ側の位置から下端４１ｆ（第３方向Ｚの他方側Ｚ２の縁）に向かう途中位置まで延在している。これに対して、切り欠き４７ａより第１方向Ｘの他方側Ｘ２に位置する内壁側補強用リブ４１１ｂ、４１１ｃ（第２内壁側補強用リブ）は、内壁４１１において第１上板部４１０と繋がる上端４１ｅ側の位置から下端４１ｆまで延在している。
【００２８】
第１側板部４１において製氷皿２とは反対側の壁（外壁４１２）には、第２方向Ｙの一方側Ｙ１（外側）に向けて突出した外壁側補強用リブ４１２ａが第１方向Ｘおよび第３方向Ｚに延在するように形成されている。かかる外壁側補強用リブ４１２ａには、上下方向に延在する複数の外壁側補強用リブ４１２ｃが含まれており、複数の外壁側補強用リブ４１２ｃは、第１方向Ｘに沿って形成されている。複数の外壁側補強用リブ４１２ｃのうち、後述する切り欠き４７ａより第１方向Ｘの一方側Ｘ１に位置する外壁側補強用リブ４１２ｄ（第１外壁側補強用リブ）は、外壁４１２の上端４１ｅから下端４１ｆまで延在している。これに対して、切り欠き４７ａより第１方向Ｘの他方側Ｘ２に位置する外壁側補強用リブ４１２ｅ（第２外壁側補強用リブ）は、外壁４１２の上端４１ｅから下端４１ｆ（第３方向Ｚの他方側Ｚ２の縁）に向かう途中位置まで延在している。また、第１側板部４１の下端４１ｆ（第３方向Ｚの他方側Ｚ２の縁）には、第２方向Ｙの一方側Ｙ１（外側）に向けて突出した補強用リブ４１２ｂが第１側板部４１の下端４１ｆに沿って第１方向Ｘに延在するように形成されている。本形態において、外壁側補強用リブ４１２ａと補強用リブ４１２ｂとは、第２方向Ｙの一方側Ｙ１への突出寸法が等しい。
【００２９】
第１側板部４１の外壁４１２には、駆動部３より第１方向Ｘの他方側Ｘ１に、製氷装置１を冷蔵庫本体（図示せず）に搭載する際にフレーム４を冷蔵庫本体に固定する複数の取り付け部４１４と、配線５をフレーム４の内側から外側に引き出す貫通部４７と、外側に引き出した配線５を外壁４１２に沿うように支持する配線支持部４８とが設けられている。
【００３０】
本形態においては、複数の取り付け部４１４として、第１側板部４１の下端４１ｆにおいて第１方向Ｘで離間する位置に形成された第１下端側取り付け部４１４ａ、および第２下端側取り付け部４１４ｂが形成されている。第１下端側取り付け部４１４ａ、および第２下端側取り付け部４１４ｂは、補強用リブ４１２ｂから下方に突出した板部４１５からなり、板部４１５には、ネジによってフレーム４を冷蔵庫本体に固定するための穴４１５ａが形成されている。第１下端側取り付け部４１４ａ、および第２下端側取り付け部４１４ｂ（板部４１５）は、補強用リブ４１２ｂより第２方向Ｙの一方側Ｙ２に突出していない。
【００３１】
本形態においては、さらに、複数の取り付け部４１４として、第１側板部４１の上端４１ｅにおいて第１方向Ｘで離間する位置に形成された第１上端側取り付け部４１４ｃ、および第２上端側取り付け部４１４ｄが形成されている。第１上端側取り付け部４１４ｃ、および第２上端側取り付け部４１４ｄは、外壁側補強用リブ４１２ａから上方に突出した板部４１６からなり、板部４１６には、ネジによってフレーム４を冷蔵庫本体に位置するための穴４１６ａが形成されている。本形態において、穴４１６ａは、ネジを止める穴から下方に拡大した形状になっている。従って、ネジを穴４１６ａに通した後、ネジが穴４１６ａの上端部分に移動するようにフレーム４を移動させることによって、フレーム４の第１方向Ｘおよび上下方向の位置決めを行うことができる。本形態において、第１上端側取り付け部４１４ｃ、および第２上端側取り付け部４１４ｄ（板部４１６）は、外壁側補強用リブ４１２ａより第２方向Ｙの一方側Ｙ２に突出していない。
【００３２】
４つの取り付け部４１４は、第１方向Ｘでずれた位置に設けられており、第１方向Ｘの一方側Ｘ１から他方側Ｘ２に向かって、第１上端側取り付け部４１４ｃ、第１下端側取り付け部４１４ａ、第２上端側取り付け部４１４ｄ、および第２下端側取り付け部４１４ｂの順に設けられている。
【００３３】
貫通部４７は、複数の取り付け部４１４のうち、第１方向Ｘの最も一方側Ｘ１に設けられた第１上端側取り付け部４１４ｃより第１方向Ｘの他方側Ｘ２で第１側板部４１を第２方向Ｙで貫通している。本形態において、貫通部４７は、第１側板部４１の下端４１ｆに形成された切り欠き４７ａからなる。ここで、貫通部４７は、第１側板部４１の下端４１ｆにおいて第１方向Ｘで隣り合う２つの取り付け部４１４（第１下端側取り付け部４１４ａ、および第２下端側取り付け部４１４ｂ）の間、かつ、第１側板部４１の上端４１ｅにおいて第１方向Ｘで隣り合う２つの取り付け部４１４（第１上端側取り付け部４１４ｃ、および第２上端側取り付け部４１４ｄ）の間に形成されている。このため、貫通部４７に対して第１方向Ｘの一方側Ｘ１には、第１側板部４１の下端４１ｆに形成された第１下端側取り付け部４１４ａと、第１側板部４１の上端４１ｅに形成された第１上端側取り付け部４１４ｃとが存在する。
【００３４】
このように構成した製氷装置１において、駆動部３から延在する配線５は、第１側板部４１の内側において、第１側板部４１の内壁４１１に形成された内壁側補強用リブ４１１ａ（第１内壁側補強用リブ）と下端４１ｆとの間を通って下端４１ｆに沿うように第１方向Ｘの他方側Ｘ２に引き回された後、貫通部４７を介して第１側板部４１の外側に引き出されている。それ故、配線５は、駆動部３から第１側板部４１の内壁４１１に沿って延在
する第１引き回し部分５１と、貫通部４７を通って第１側板部４１の外側（製氷皿２とは反対側）に引き出された第２引き回し部分５２とを備えている。従って、配線５の途中部分が第１側板部４１の貫通部４７で支持されるので、フレーム４の外側に位置する配線５が短くなる。それ故、配線５の取り扱い等が容易になる。
【００３５】
また、第２引き回し部分５２は、第１側板部４１の外壁４１２に沿って延在する第３引き回し部分５３を備えており、第３引き回し部分５３は、第１側板部４１の外壁４１２に形成された外壁側補強用リブ４１２ｅ（第２外壁側補強用リブ）と下端４１ｆとの間を通って下端４１ｆに沿うように第１方向Ｘの他方側Ｘ２に引き回されている。第１側板部４１の下端４１ｆには、第３引き回し部分５３を支持する配線支持部４８が設けられている。配線支持部４８は、外壁４１２との間に第３引き回し部分５３を保持する隙間を形成するように第１側板部４１の下端４１ｆから上方（第３方向Ｚの一方側Ｚ１）に突出している。配線支持部４８は、板状であり、第２方向Ｙに弾性変形可能である。従って、第３引き回し部分５３を外壁４１２に弾性をもって押し付けている。また、配線支持部４８は、先端部分で外壁４１２に向けて折れ曲がった抜け止め用の爪部４８０を備えている。配線支持部４８は、外壁側補強用リブ４１２ａより第２方向Ｙの一方側Ｙ１に突出していない。従って、配線５の第２引き回し部分５２（第３引き回し部分５３）を外壁４１２と配線支持部４８との間を通した場合でも、配線５は、外壁側補強用リブ４１２ａより第２方向Ｙの一方側Ｙ１に突出しない。このため、配線５を第１側板部４１の外壁４１２に沿うように引き回した場合でも、フレーム４を冷蔵庫本体に取り付ける際、配線５に起因するフレーム４の浮き等が発生しにくい。
【００３６】
本形態において、配線支持部４８は、第１側板部４１の下端４１ｆにおいて、第１下端側取り付け部４１４ａと第２下端側取り付け部４１４ｂとの間に形成された第１配線支持部４８ａと、第２下端側取り付け部４１４ｂより第１方向Ｘの他方側Ｘ２に形成された第２配線支持部４８ｂとして形成されている。
【００３７】
（動作）
本形態の製氷装置１では、４つの取り付け部４１４でフレーム４を冷蔵庫本体に固定して、製氷装置１を冷蔵庫本体に搭載する。
【００３８】
この状態で、製氷皿２では製氷が行なわれる。製氷工程では、貯水用凹部２０が上方を向くように水平に配置された製氷皿２に対して給水パイプ（図示せず）を通じて水が供給され、貯水用凹部２０に水が充填さる。その後、製氷皿２の上方に設置された冷却部（図示せず）により、製氷皿２内に充填された水を冷却する。製氷が完了したか否かは、製氷皿２に取り付けられたサーミスタ８により、製氷皿２の温度が所定温度以下となったか否かで判断される。
【００３９】
製氷が完了すると、検氷レバー６により、製氷皿２の下方に設置された貯氷容器（図示せず）の氷量の検出が行なわれる。具体的には、検氷レバー６が駆動部３に駆動されて下降する。その際、検氷レバー６が所定位置まで下降する場合には、貯氷容器内が満氷でないと判断される。一方、所定位置まで下降する前に、検氷レバー６が貯氷容器内の氷に接触する場合には、貯氷容器内が満氷であると判断される。貯氷容器内が満氷の場合には、所定時間待機した後、再度、検氷レバー６により貯氷容器内の氷量の検出が行なわれる。
【００４０】
貯氷容器内が満氷でない場合には、製氷皿２の離氷が行なわれる。具体的には、駆動部３の出力軸３２の回転駆動により、製氷皿２が軸線Ｌ０を中心に回転する。水平に配置された最初の位置より９０°以上の所定の回転角（例えば１２０°）まで製氷皿２が回転したときに、製氷皿２の回転規制部２９がフレーム４に当接する。この状態で、製氷皿２がさらに回転しようとしても回転は妨げられ、製氷皿２には捻りが加えられ、変形する。こ
れにより、製氷皿２内の氷が製氷皿２から剥離し、製氷皿２の下方に設置された図示しない貯氷容器内に落下する。
【００４１】
しかる後には、駆動部３が、貯水用凹部２０が上方を向くように製氷皿２を逆回転させ、上記の動作が繰り返される。
【００４２】
（本形態の主な効果）
上記の離氷動作を行うために、駆動部３が製氷皿２に捻り動作を行わせた際、その反力によって、フレーム４に大きな力が加わるが、第１側板部４１において、駆動部３より第１方向Ｘの他方側Ｘ２に設けられた複数の取り付け部４１４のうち、第１方向Ｘの最も一方側Ｘ１に設けられた第１上端側取り付け部４１４ｃより第１方向Ｘの他方側Ｘ２に貫通部４７が設けられている。特に本形態では、貫通部４７が第１側板部４１の下端４１ｆに形成された切り欠き４７ａからなり、貫通部４７は、第１側板部４１の下端４１ｆにおいて第１方向Ｘで隣り合う２つの取り付け部４１４（第１下端側取り付け部４１４ａ、および第２下端側取り付け部４１４ｂ）の間に形成されている。このため、貫通部４７に対して第１方向Ｘの一方側Ｘ１には、第１側板部４１の下端４１ｆに形成された第１下端側取り付け部４１４ａと、第１側板部４１の上端４１ｅに形成された第１上端側取り付け部４１４ｃとが存在し、第１下端側取り付け部４１４ａ、および第１上端側取り付け部４１４ｃはいずれも、冷蔵庫本体に固定されている。このため、駆動部３が製氷皿２に捻り動作を行わせる際にフレーム４に加わる力が第１側板部４１の貫通部４７の側に伝わることを、貫通部４７より第１方向Ｘの一方側Ｘ１に設けられた取り付け部４１４（第１上端側取り付け部４１４ｃ、および第１下端側取り付け部４１４ａ）によって抑制される。従って、第２側板部４２では貫通部４７付近に応力が集中することを抑制することができるので、第２側板部４２が貫通部４７付近で破損することを抑制することができる。
【００４３】
また、配線５の第２引き回し部分５２は、第１側板部４１の外壁４１２に沿って延在する第３引き回し部分５３を備え、第１側板部４１には、第３引き回し部分５３を支持する配線支持部４８が設けられている。このため、フレーム４の外側で自由になっている配線部分が短くなるので、配線５の取り扱い等がより容易である。また、配線支持部４８は、第３引き回し部分５３を外壁４１２に弾性をもって押し付けている。従って、第３引き回し部分５３を外壁４１２と配線支持部４８との間に通すことによって、第３引き回し部分５３が第１側板部４１に支持された状態となるので、第３引き回し部分５３の支持が容易である。
【００４４】
また、貫通部４７は、第１側板部４１の下端４１ｆに設けられているため、配線５を第１側板部４１の下端４１ｆに沿って引き回すことができる。従って、製氷皿２への給水等を行う給水パイプ等の設置を配線５が妨げにくい等の利点がある。
【００４５】
また、第１側板部４１の内側では、複数の内壁側補強用リブ４１１ａ、４１１ｂ、４１１ｃのうち、切り欠き４７ａより第１方向Ｘの一方側Ｘ１に位置する内壁側補強用リブ４１１ａ（第１内壁側補強用リブ）は、上端４１ｅ側から下端４１ｆに向かう途中位置まで延在し、切り欠き４７ａより第１方向Ｘの他方側Ｘ２に位置する内壁側補強用リブ４１１ｂ、４１１ｃ（第２内壁側補強用リブ）は、上端４１ｅ側から下端４１ｆまで延在している。このため、第１側板部４１の内側において、配線５の第１引き回し部分５１を内壁側補強用リブ４１１ａ（第１内壁側補強用リブ）と下端４１ｆとの間で引き回すことができる。それ故、第１引き回し部分５１を配置するスペースを確保しつつ、内壁側補強用リブ４１１ａ、４１１ｂ、４１１ｃによって第１側板部４１の強度を高めることができる。
【００４６】
また、第１側板部４１の外側では、複数の外壁側補強用リブ４２１ｃのうち、切り欠き４７ａより第１方向Ｘの一方側Ｘ１に位置する外壁側補強用リブ４２１ｄ（第１外壁側補
強用リブ）は、上端４１ｅ側から下端４１ｆまで延在し、切り欠き４７ａより第１方向Ｘの他方側Ｘ２に位置する外壁側補強用リブ４２１ｅ（第２外壁側補強用リブ）は、上端４１ｅ側から下端４１ｆに向かう途中位置まで延在している。このため、第３引き回し部分５３を外壁側補強用リブ４１２ｅ（第２外壁側補強用リブ）と下端４１ｆとの間で引き回すことができる。それ故、第３引き回し部分５３を配置するスペースを確保しつつ、複数の外壁側補強用リブ４２１ｃによって第１側板部４１の強度を高めることができる。
【００４７】
また、切り欠き４７ａより第１方向Ｘの一方側Ｘ１では、内壁４１１の内壁側補強用リブ４１１ａが下端４１ｆまで到達していないが、外壁４１２の外壁側補強用リブ４１２ｄが下端４１ｆまで到達している。これに対して、切り欠き４７ａより第１方向Ｘの他方側Ｘ２では、外壁４１２の外壁側補強用リブ４１２ｅが下端４１ｆまで到達していないが、内壁４１１の内壁側補強用リブ４１１ｂ，４１１ｃが下端４１ｆまで到達している。従って、第１引き回し部分５１および第３引き回し部分５３を配置するスペースを内壁４１１および外壁４１２に確保した場合でも、第１側板部４１の強度を高めることができる。
【００４８】
さらに、第１側板部４１では、切り欠き４７ａの近傍にまで、内壁側補強用リブ４１１ａ、４１１ｂ、および外壁側補強用リブ４１２ｄ、４１２ｅが形成されているので、第１側板部４１の強度を高めることができる。
【００４９】
［別の実施形態］
図７は、本発明の別の実施形態に係る製氷装置１の斜視図である。図１〜図６を参照して説明した製氷装置１では、第２引き回し部分５２が第１側板部４１の下端４１ｆに沿って延在していたが、図７に示すように、第２引き回し部分５２が途中から上方に延在している態様を採用してもよい。
【００５０】
［他の実施形態］
図１〜図６を参照して実施形態では、４つの取り付け部４１４が設けられていたが、第１側板部４１の下端４１ｆに１つの取り付け部４１４が設けられ、第１側板部４１の上端４１ｅに２つの取り付け部４１４が設けられている場合、貫通部４７が第１側板部４１の下端４１ｆにおいて、第１側板部４１の下端４１ｆに設けられた取り付け部４１４より第１方向Ｘの他方側Ｘ２に設けられている態様を採用してもよい。すなわち、図４において、第１下端側取り付け部４１４ａ、第１上端側取り付け部４１４ｃ、第２上端側取り付け部４１４ｄ、および貫通部４７が設けられ、第２下端側取り付け部４１４ｂが設けられていない態様を採用してもよい。
【００５１】
また、第１側板部４１の下端４１ｆに２つの取り付け部４１４が設けられ、第１側板部４１の上端４１ｅに１つの取り付け部４１４が設けられている場合、貫通部４７が第１側板部４１の下端４１ｆにおいて、第１側板部４１の下端４１ｆに設けられた２つの取り付け部４１４の間に設けられている態様を採用してもよい。すなわち、図４において、第１下端側取り付け部４１４ａ、第２下端側取り付け部４１４ｂ、第１上端側取り付け部４１４ｃ、および貫通部４７が設けられ、第２上端側取り付け部４１４ｄが設けられていない態様や、第１下端側取り付け部４１４ａ、第２下端側取り付け部４１４ｂ、第２上端側取り付け部４１４ｄ、および貫通部４７が設けられ、第１上端側取り付け部４１４ｃが設けられていない態様を採用してもよい。
【００５２】
上記実施形態では、貫通部４７（切り欠き４７０）が第１側板部４１の下端４１ｆに形成されていたが、貫通部４７（切り欠き４７ａ）が第１側板部４１の上端４１ｅに形成されている態様を採用してもよい。
【００５３】
上記実施形態では、貫通部４７が切り欠き４７ａであったが、貫通部４７が穴であって
もよい。
【符号の説明】
【００５４】
１…製氷装置、２…製氷皿、２ａ…下面、２ｂ…第１側面、２ｃ…第２側面、３…駆動部、４…フレーム、５…配線、６…検氷レバー、８…サーミスタ、９…カバー、２０…貯水用凹部、３２…出力軸、４１…第１側板部、４１ｅ…上端、４１ｆ…下端、４２…第２側板部、４７…貫通部、４７ａ…切り欠き、４８…配線支持部、４８ａ…第１配線支持部、４８ｂ…第２配線支持部、５１…第１引き回し部分、５２…第２引き回し部分、５３…第３引き回し部分、４１１…内壁、４１１ａ…内壁側補強用リブ（第１内壁側補強用リブ）、４１１ｂ、４１１ｃ…内壁側補強用リブ（第２内壁側補強用リブ）、４１２…外壁、４１２ａ，４１２ｃ…外壁側補強用リブ、４１２ｄ…外壁側補強用リブ（第１外壁側補強用リブ）、４１２ｅ…外壁側補強用リブ（第２外壁側補強用リブ）、４１４…取り付け部、４１４ａ…第１下端側取り付け部、４１４ｂ…第２下端側取り付け部、４１４ｃ…第１上端側取り付け部、４１４ｄ…第２上端側取り付け部、４８０…爪部、Ｘ…第１方向、Ｙ…第２方向、Ｚ…第３方向（上下方向）
【図１】
2019045039.tif 000003
【図２】
2019045039.tif 000004
【図３】
2019045039.tif 000005
【図４】
2019045039.tif 000006
【図５】
2019045039.tif 000007
【図６】
2019045039.tif 000008
【図７】
2019045039.tif 000009